(57)【要約】【課題】  チャネル毎に基準発振周波数の必要変化量が異なる場合に、複数のチャネルでビート回避し得るＰＬＬ回路、テレビジョン受信機、及びテレビジョン受信機のビート改善方法を提供する。【解決手段】  局部発振成分として基準となる周波数の信号を発振すべく、発振子３２、容量及び発振子３２の直列回路にて構成される基準信号発振回路４０を備える。容量は、妨害症状を有するチャネルに対して局部発振成分における基準となる周波数を可変すべく、バリキャップダイオード（ＶＤｉ）４２・バリキャップダイオード（ＶＤｉ）用バイアス抵抗４３にて構成される可変容量からなっている。【選択図】  図３
2006042054.tif 000002
【特許請求の範囲】
【請求項１】
複数の送信されてきたチャネルから１つのチャネルだけを選局し、そのチャネルの高周波（ＲＦ）信号成分と局部発振成分とをミキシングし、周波数変換を行い、中間周波（ＩＦ）信号として取り出すテレビジョン受信機に備えられ、上記局部発振成分の周波数を制御するＰＬＬ回路において、
上記局部発振成分として基準となる周波数の信号を発振すべく、発振子、容量及び発信回路の直列回路にて構成される基準信号発振回路を備えると共に、
上記容量は、妨害症状を有するチャネルに対して上記局部発振成分における基準となる周波数を可変すべく、バリキャップダイオードにて構成される可変容量からなっていることを特徴とするＰＬＬ回路。
【請求項２】
前記バリキャップダイオードにて構成される可変容量に、並列に、第１の補助容量が設けられていることを特徴とする請求項１記載のＰＬＬ回路。
【請求項３】
前記バリキャップダイオードにて構成される可変容量に、直列に、第２の補助容量が設けられていることを特徴とする請求項１記載のＰＬＬ回路。
【請求項４】
前記請求項１、２又は３記載のＰＬＬ回路を備え、映像ＩＦ周波数に４５．７５ＭＨｚを使用すると共に、映像ＲＦ周波数９１．２５ＭＨｚのチャネルを選局することを特徴とするテレビジョン受信機。
【請求項５】
複数の送信されてきたチャネルから１つのチャネルだけを選局し、そのチャネルの高周波（ＲＦ）信号成分とＰＬＬ回路にて周波数が制御された局部発振成分とをミキシングし、周波数変換を行い、中間周波（ＩＦ）信号として取り出すテレビジョン受信機のビート改善方法において、
妨害症状を有するチャネルでは、バリキャップダイオードにて構成される可変容量を備えたＰＬＬ回路を用いて、上記可変容量にて基準信号周波数を変移させて局部発振周波数を変移させることにより、中間周波信号から出力される妨害不要波周波数を変移させることを特徴とするテレビジョン受信機のビート改善方法。
【請求項６】
前記バリキャップダイオードにて構成される可変容量に、並列に、第１の補助容量が設けられたＰＬＬ回路を用いることを特徴とする請求項５記載のテレビジョン受信機のビート改善方法。
【請求項７】
前記バリキャップダイオードにて構成される可変容量に、直列に、第２の補助容量が設けられたＰＬＬ回路を用いることを特徴とする請求項５記載のテレビジョン受信機のビート改善方法。
【発明の詳細な説明】
【技術分野】
【０００１】
本発明は、テレビジョン受信機などのスーパーヘテロダイン方式の受信機に好適に用いられるＰＬＬ（Phase Locked Loop:位相同期ループ）回路に関し、またそれを搭載したＰＬＬシンセサイザー方式チューナ回路、及びテレビジョン受信機に関する。
【背景技術】
【０００２】
スーパーヘテロダイン方式を用いるＮＴＳＣやＰＡＬの放送方式に対応した従来の一般的なテレビジョン受信機１０１では、図６に示すように、アンテナ１０２から入力されたＲＦ(Radio Frequency：高周波）信号は、まずバンドパスフィルタ（ＢＰＳ）からなる入力同調回路１０３で希望信号成分のみ取出され、さらに高周波増幅回路（ＲＦ  ＡＭＰ）１０４において増幅された後、バンドパスフィルタ（ＢＰＳ）からなる段間同調回路１０５においてさらに不要な信号成分が取り除かれる。
【０００３】
このＲＦ信号は、混合回路（ＭＩＸ）１０６へと導かれ、局部発振回路（ＯＳＣ）１０７で生成されたＬＯ（局部発振）信号と混合され、ＩＦ（Intermediate Frequency：中間周波）信号に周波数変換が行われる。
【０００４】
上記ＩＦ信号は、ＮＴＳＣやＰＡＬの放送方式に適応したＳＡＷフィルタ１０８に入力され、映像信号成分（ＶＩＦ信号）と音声信号成分（ＳＩＦ信号）とが取り出される。このＳＡＷフィルタ１０８から、上記ＶＩＦ信号は映像ＩＦ増幅回路（ＶＩＦ  ＡＭＰ）１０９に与えられ、上記ＳＩＦ信号は音声ＩＦ増幅回路（ＳＩＦ  ＡＭＰ）１１０に与えられる。
【０００５】
上記映像ＩＦ増幅回路（ＶＩＦ  ＡＭＰ）１０９で増幅された前記ＶＩＦ信号は、映像検波回路（Ｖｉｄｅｏ  ＤＥＴ）１１１において映像検波されてビデオ信号となり、映像増幅回路（Ｖｉｄｅｏ  ＡＭＰ）１１２において増幅された後、出力される。
【０００６】
一方、上記ＳＩＦ信号は、音声復調回路（ＱＩＦ  ＤＥＴ）１１３において検波（周波数変換）されて、上記ＮＴＳＣ仕様であれば４．５ＭＨｚのＳＩＦ信号となり、ＰＡＬ  Ｂ／Ｇ仕様であれば５．５ＭＨｚのＳＩＦ信号となる。そのＳＩＦ信号は、ＦＭ検波回路（ＦＭ  ＤＥＴ）１１４においてＦＭ検波された後、音声信号として出力される。
【０００７】
ここで、上記局部発振回路（ＯＳＣ）１０７で生成されるＬＯ（局部発振）信号周波数は、ＰＬＬ回路にて制御される。
【０００８】
従来のＰＬＬ回路１２０は、図７に示すように、例えば、前記ＬＯ（局部発振）信号を発振する発振器１０７と、位相比較器１２２と、分周器１２１・１２３と、基準信号発振回路１３０とを備えて構成される。なお、この種のＰＬＬ回路は、例えば、特許文献１に記載がある。
【０００９】
上記基準信号発振回路１３０は、位相比較器１２２から与えられる直流制御電圧に応じた周波数で発振を行う電圧制御発振器等で実現され、例えば、発振回路１３１と、水晶やセラミック等からなる発振子１３２及び補正容量１３３の直列回路とを備えて構成される。発振回路１３１は、直列回路によって決定される予め定める一定の周波数で発振を行う。
【００１０】
上記構成のＰＬＬ回路１２０では、局部発振回路（ＯＳＣ）１０７で生成されたＬＯ（局部発振）信号成分と、基準信号発振回路１３０における発振回路１３１、発振子１３２及び補正容量１３３で生成された基準信号成分とを、それぞれ分周器１２１・１２３にて分周し、その分周成分を位相比較器１２２にて比較し、その分周成分が同一位相となるように、局部発振回路（ＯＳＣ）１０７にフィードバックをかけて局部発振回路（ＯＳＣ）１０７を制御する。
【００１１】
上記分周器１２１を変化させたり、又は分周器１２１・１２３における分周比を変化させたりすることによって、前記混合回路（ＭＩＸ）１０６において、任意のＲＦ周波数を、予め定められるＩＦ周波数に変換し、そのチャネルの受信が可能となる。
【００１２】
ここで、上述のように構成されるＰＬＬ回路１２０における、映像ＩＦ周波数に４５．７５ＭＨｚを使用するテレビジョン受信機を例として、妨害発生のメカニズムについて説明する。なお、この映像ＩＦ周波数に４５．７５ＭＨｚを使用するテレビジョン受信機は、一般的に米国仕様であるが、最近、米国向けと国内向けとを共用するために、日本仕様としても採用されてきている。
【００１３】
妨害を有する特定チャネルとして、例えば、映像ＲＦ周波数９１．２５ＭＨｚのチャネルを例として説明する。
【００１４】
このチャネルを受信する際に使用される局部発振周波数は、９１．２５＋４５．７５＝１３７ＭＨｚである。したがって、ＲＦ信号と局部発振成分とをミキシングすると、映像ＩＦ４５．７５ＭＨｚの映像ＩＦ信号が取り出される。この際、ＲＦ信号の２倍高調波と局部発振成分とがミキシングされることにより、９１．２５×２−１３７＝４６ＭＨｚの妨害成分も映像ＩＦ信号から出力される。この妨害成分と映像ＩＦ信号成分とが混合回路（ＭＩＸ）１０６にてミキシングされ、４６−４５．７５＝０．２５ＭＨｚ＝２５０ｋＨｚの妨害成分がビデオ信号と一緒に出力され、画面上縞模様のビートとして現れる。
【００１５】
この２５０ｋＨｚのビート成分は人の目に非常に認識し易く、ビート改善は非常に困難である。しかし、ビート成分を２５０ｋＨｚから数十ｋＨｚずらすことにより、人の目で殆ど認識できなくなることは周知の事実であることより、一般に、局部発振周波数を数十ｋＨｚずらすことことにより対応している。
【００１６】
一方、上述したような画面上の縞模様のカラービートは、外来ノイズによっても発生する。この外来ノイズによるカラービートの発生するメカニズムについて説明する。
【００１７】
例えば、日本仕様のチューナにおいて日本第４０チャネルを受信する時の各周波数は、チューナ局部発振周波数：６９２．０ＭＨｚ、日本第４０チャネル  Ｐキャリア：６３３．２５ＭＨｚ、日本第４０チャネル  Ｓキャリア：６３７．７５ＭＨｚ、日本第４０チャネル  色搬送波周波数：６３６．８３ＭＨｚである。
【００１８】
チューナは、その日本第４０チャネルを受信し、中間周波数（ＩＦ）に周波数変換する。その時のＩＦ周波数は、Ｐ  ＩＦ：５８．７５ＭＨｚ、Ｓ  ＩＦ：５４．２５ＭＨｚ、ＩＦ内色搬送波周波数：５５．１７ＭＨｚとなる。
【００１９】
仮に、ＩＦへ周波数変換された色搬送波周波数の±０．５ＭＨｚの範囲に不要波（スプリアス）が発生した場合、カラービート発生の可能性が有る。例えば、外来ノイズが７４７．０ＭＨｚに有った場合、局部発振信号とのミキシングにより５５．０ＭＨｚに周波数変換され、色搬送波周波数の±０．５ＭＨｚの範囲に不要波（スプリアス）が発生することとなる。
【００２０】
その不要波（スプリアス）レベルが高い場合、カラービート発生の可能性が有る。映像信号には、輝度信号と搬送色信号とが含まれている。色搬送波近辺には、その輝度信号成分と搬送色信号成分との両方が存在しており、それぞれの信号成分を周波数スペクトラムで見ると、１５．７３ｋＨｚステップのエネルギー分布となっている。色搬送波付近では、図８に示すように、それぞれが交差するように分布しており、それぞれが重なることは無い。したがって、映像復調された信号は、色復調前に、１５．７３ｋＨｚ間隔のくし型フィルタにより色信号が取り出される。
【００２１】
前述のカラービートは、色復調回路で発生するものであり、外来ノイズ等による不要波（スプリアス）がそのくし型フィルタで減衰された場合、カラービートが発生しない。一方、減衰されない場合は、その不要波（スプリアス）ノイズが通過することとなり、カラービート発生となる。局部発振周波数を微妙にずらすことにより、ＩＦ信号帯域内の不要波（スプリアス）周波数を微妙にずらし、不要波（スプリアス）がくし型フィルタに減衰される周波数関係となった時、カラービートが無くなることとなる。
【００２２】
それらのために、従来では、ＰＬＬ回路１２０の発振子１３２及び発振周波数補正容量１３３・容量１３４で決定される基準信号発振周波数をスイッチ（ＳＷ）１３５にてＯＮ／ＯＦＦすることにより、ＩＦ信号帯域内の不要波（スプリアス）周波数を微妙にずらし、局部発振周波数を数十ｋＨｚずらしている。
【００２３】
局部発振周波数を一律にずらすと、ＵＨＦチャネルのように、周波数の高いチャネルでは、そのチャネルを受信するための局部発振周波数が数百ｋＨｚもずれてしまうことになる。また、それに伴い、その局部発振信号で周波数変換されたＩＦ周波数成分も、数百ｋＨｚもずれてしまうことになる。
【００２４】
したがって、周波数のずれたＩＦ信号を検波すると、検波後のビデオ周波数特性が本来の特性とは異なってしまい、画質が劣化してしまう。これを回避するために、例えば、特定のチャネルのみスイッチ（ＳＷ）１３５のＯＮ／ＯＦＦにより局部発振周波数をずらすことが可能である。
【特許文献１】特開平４−８７４２０号公報（１９９２年３月１９日公開）
【発明の開示】
【発明が解決しようとする課題】
【００２５】
しかしながら、上記従来のＰＬＬ回路では、一通りでしか基準周波数をずらすことができず、ビート回避が複数チャネルで必要な場合、必ずしも全てのチャネルでビート回避が果たせるとは言えないという問題点を有している。すなわち、従来回路では、複数のチャネルでビート回避が必要であり、かつそのチャネル毎に基準発振周波数の必要変化量が異なる場合には、対応できないという問題点を有している。
【００２６】
本発明は、上記従来の問題点に鑑みなされたものであって、その目的は、チャネル毎に基準発振周波数の必要変化量が異なる場合に、複数のチャネルでビート回避し得るＰＬＬ回路、テレビジョン受信機、及びテレビジョン受信機のビート改善方法を提供することにある。
【課題を解決するための手段】
【００２７】
本発明のＰＬＬ回路は、上記課題を解決するために、複数の送信されてきたチャネルから１つのチャネルだけを選局し、そのチャネルの高周波（ＲＦ）信号成分と局部発振成分とをミキシングし、周波数変換を行い、中間周波（ＩＦ）信号として取り出すテレビジョン受信機に備えられ、上記局部発振成分の周波数を制御するＰＬＬ回路において、上記局部発振成分として基準となる周波数の信号を発振すべく、発振子、容量及び発信回路の直列回路にて構成される基準信号発振回路を備えると共に、上記容量は、妨害症状を有するチャネルに対して上記局部発振成分における基準となる周波数を可変すべく、バリキャップダイオードにて構成される可変容量からなっていることを特徴としている。
【００２８】
また、本発明のテレビジョン受信機のビート改善方法は、上記課題を解決するために、複数の送信されてきたチャネルから１つのチャネルだけを選局し、そのチャネルの高周波（ＲＦ）信号成分とＰＬＬ回路にて周波数が制御された局部発振成分とをミキシングし、周波数変換を行い、中間周波（ＩＦ）信号として取り出すテレビジョン受信機のビート改善方法において、妨害症状を有するチャネルでは、バリキャップダイオードにて構成される可変容量を備えたＰＬＬ回路を用いて、上記可変容量にて基準信号周波数を変移させて局部発振周波数を変移させることにより、中間周波信号から出力される妨害不要波（スプリアス）周波数を変移させることを特徴としている。
【００２９】
すなわち、映像信号のカラー成分帯域内において、何らかの外来ノイズ等により、そのカラー成分帯域内に妨害としての不要波（スプリアス）が発生すると、画面上に虹のような色の付いた縞模様であるカラービートが発生する。
【００３０】
そこで、本発明では、基準信号発振回路の補正容量にバリキャップダイオードを使用することにより、バリキャップダイオードに印加するＶＴ電圧により、基準信号発振周波数の変化量をＶＴ電圧により任意に設定し、任意に補正容量を変化させることができる。これにより、ＩＦ信号から出力される妨害不要波（スプリアス）周波数を人の目では、認識し難い周波数へ変移し、その特定チャネル特有の妨害症状を回避することができる。
【００３１】
したがって、チャネル毎に基準発振周波数の必要変化量が異なる場合に、複数のチャネルでビート回避し得るＰＬＬ回路及びテレビジョン受信機のビート改善方法を提供することができる。
【００３２】
また、本発明のＰＬＬ回路は、上記記載のＰＬＬ回路において、前記バリキャップダイオードにて構成される可変容量に、並列に、第１の補助容量が設けられていることを特徴としている。
【００３３】
また、本発明のテレビジョン受信機のビート改善方法は、上記記載のテレビジョン受信機のビート改善方法において、前記バリキャップダイオードにて構成される可変容量に、並列に、第１の補助容量が設けられたＰＬＬ回路を用いることを特徴としている。
【００３４】
上記の発明によれば、バリキャップダイオードにて構成される可変容量に、並列に、第１の補助容量が設けられたＰＬＬ回路を用いるので、この可変容量で設定した範囲をさらに、第１の補助容量にて制御できる。
【００３５】
また、本発明のＰＬＬ回路は、上記記載のＰＬＬ回路において、前記バリキャップダイオードにて構成される可変容量に、直列に、第２の補助容量が設けられていることを特徴としている。
【００３６】
また、本発明のテレビジョン受信機のビート改善方法は、上記記載のテレビジョン受信機のビート改善方法において、前記バリキャップダイオードにて構成される可変容量に、直列に、第２の補助容量が設けられたＰＬＬ回路を用いることを特徴としている。
【００３７】
上記の発明によれば、バリキャップダイオードにて構成される可変容量に、直列に、第２の補助容量が設けられたＰＬＬ回路を用いるので、この可変容量で設定した範囲をさらに、第２の補助容量にて制御できる。また、第２の補助容量は、可変容量に直列に接続されるので、直流カットの目的も兼ね備えている。
【００３８】
また、本発明のテレビジョン受信機は、上記課題を解決するために、上記記載のＰＬＬ回路を備え、映像ＩＦ周波数に４５．７５ＭＨｚを使用すると共に、映像ＲＦ周波数９１．２５ＭＨｚのチャネルを選局することを特徴としている。
【００３９】
上記の発明によれば、テレビジョン受信機は、映像ＩＦ周波数に４５．７５ＭＨｚを使用すると共に、映像ＲＦ周波数９１．２５ＭＨｚのチャネルを選局する。この場合、４６ＭＨｚの妨害成分も映像ＩＦ信号から出力される。そして、この妨害成分と映像ＩＦ信号成分とがミキシングされた場合、２５０ｋＨｚの妨害成分がビデオ信号と一緒に出力され、画面上縞模様のビートとして現れる。
【００４０】
しかし、本発明では、テレビジョン受信機は、上記記載のＰＬＬ回路を備えているので、容易に、バリキャップダイオードにて構成される可変容量によって、局部発振周波数を数十ｋＨｚずらすことができる、
したがって、映像ＩＦ周波数に４５．７５ＭＨｚを使用すると共に、映像ＲＦ周波数９１．２５ＭＨｚのチャネルを選局する場合でも、チャネル毎に基準発振周波数の必要変化量が異なる場合に、複数のチャネルでビート回避し得るテレビジョン受信機を提供することができる。
【発明の効果】
【００４１】
本発明のＰＬＬ回路は、以上のように、局部発振成分として基準となる周波数の信号を発振すべく、発振子、容量及び発信回路の直列回路にて構成される基準信号発振回路を備えると共に、上記容量は、妨害症状を有するチャネルに対して上記局部発振成分における基準となる周波数を可変すべく、バリキャップダイオードにて構成される可変容量からなっている。
【００４２】
また、本発明のテレビジョン受信機のビート改善方法は、以上のように、複数の送信されてきたチャネルから１つのチャネルだけを選局し、そのチャネルの高周波（ＲＦ）信号成分とＰＬＬ回路にて周波数が制御された局部発振成分とをミキシングし、周波数変換を行い、中間周波（ＩＦ）信号として取り出すテレビジョン受信機のビート改善方法において、妨害症状を有するチャネルでは、バリキャップダイオードにて構成される可変容量を備えたＰＬＬ回路を用いて、上記可変容量にて基準信号周波数を変移させて局部発振周波数を変移させることにより、中間周波信号から出力される妨害不要波（スプリアス）周波数を変移させる。
【００４３】
それゆえ、基準信号発振回路の補正容量にバリキャップダイオードを使用することにより、バリキャップダイオードに印加するＶＴ電圧により、任意に補正容量を変化させることができる。そして、これにより、ＩＦ信号から出力される妨害不要波（スプリアス）周波数を人の目では、認識し難い周波数へ変移し、その特定チャネル特有の妨害症状を回避することができる。
【００４４】
したがって、基準信号発振周波数の変化量をＶＴ電圧により任意に設定できるので、チャネル毎に基準発振周波数の必要変化量が異なる場合に、複数のチャネルでビート回避し得るＰＬＬ回路及びテレビジョン受信機のビート改善方法を提供することができるという効果を奏する。
【発明を実施するための最良の形態】
【００４５】
本発明の一実施形態について図１ないし図５に基づいて説明すれば、以下の通りである。
【００４６】
本実施の形態のスーパーヘテロダイン方式を用いるＮＴＳＣ（National Television System Committee system:米国、日本等のカラーテレビジョン放送の標準方式）やＰＡＬ（Phase Alternation by Line system:西独テレフンケン社が開発したカラーテレビジョン放送の標準方式）の放送方式に対応するテレビジョン受信機１は、図２に示すように、アンテナ２、バンドパスフィルタ（ＢＰＳ）からなる入力同調回路３、高周波増幅回路（ＲＦ  ＡＭＰ）４、において増幅された後、バンドパスフィルタ（ＢＰＳ）からなる段間同調回路５、混合回路（ＭＩＸ）６、局部発振回路（ＯＳＣ）７、ＳＡＷフィルタ８、映像ＩＦ増幅回路（ＶＩＦ  ＡＭＰ）９、音声ＩＦ増幅回路（ＳＩＦ  ＡＭＰ）１０、映像検波回路（Ｖｉｄｅｏ  ＤＥＴ）１１、映像増幅回路（Ｖｉｄｅｏ  ＡＭＰ）１２、音声復調回路（ＱＩＦ  ＤＥＴ）１３、及びＦＭ検波回路（ＦＭ  ＤＥＴ）１４を有している。
【００４７】
上記構成のテレビジョン受信機１では、アンテナ２から入力されたＲＦ(Radio Frequency：高周波数）信号は、まずバンドパスフィルタ（ＢＰＳ）からなる入力同調回路３で希望信号成分のみ取出され、さらに高周波増幅回路（ＲＦ  ＡＭＰ）４において増幅された後、バンドパスフィルタ（ＢＰＳ）からなる段間同調回路５においてさらに不要な信号成分が取除かれる。
【００４８】
このＲＦ信号は、混合回路（ＭＩＸ）６へと導かれ、局部発振回路（ＯＳＣ）７で生成されたＬＯ（局部発振）信号と混合され、ＩＦ（Intermediate Frequency：中間周波数）信号に周波数変換が行われる。
【００４９】
上記ＩＦ信号は、ＮＴＳＣやＰＡＬの放送方式に適応したＳＡＷフィルタ８に入力され、映像信号成分（ＶＩＦ信号）と音声信号成分（ＳＩＦ信号）とが取り出される。このＳＡＷフィルタ８には、映像用と音声用との別々のＳＡＷフィルタが用いられこともある。
【００５０】
このＳＡＷフィルタ８から、上記ＶＩＦ信号は映像ＩＦ増幅回路（ＶＩＦ  ＡＭＰ）９に与えられ、上記ＳＩＦ信号は音声ＩＦ増幅回路（ＳＩＦ  ＡＭＰ）１０に与えられる。
【００５１】
上記映像ＩＦ増幅回路（ＶＩＦ  ＡＭＰ）９で増幅された前記ＶＩＦ信号は、映像検波回路（Ｖｉｄｅｏ  ＤＥＴ）１１において映像検波されてビデオ信号となり、映像増幅回路（Ｖｉｄｅｏ  ＡＭＰ）１２において増幅された後、出力される。
【００５２】
一方、上記ＳＩＦ信号は、音声復調回路（ＱＩＦ  ＤＥＴ）１３において検波（周波数変換）されて、上記ＮＴＳＣ仕様であれば４．５ＭＨｚのＳＩＦ信号となり、ＰＡＬ  Ｂ／Ｇ仕様であれば５．５ＭＨｚのＳＩＦ信号となる。そのＳＩＦ信号は、ＦＭ検波回路（ＦＭ  ＤＥＴ）１４においてＦＭ検波された後、音声信号として出力される。
【００５３】
上述のように、ＲＦ信号は、一旦、ＩＦ信号に周波数変換が行われた後、映像ＩＦ信号成分（ＶＩＦ信号）と音声ＩＦ信号成分（ＳＩＦ信号）とに分離される。さらに、ＳＩＦ信号にＬＯ（局部発振）信号を混合することによって、音声信号に復調される。これは、周波数が低い程、検波器の構成が簡単で性能が良いためであり、殆どの検波器でこのように音声キャリア周波数の信号を、一旦ＳＩＦ信号に変換した後、復調するように構成されている。
【００５４】
次に、上記局部発振回路（ＯＳＣ）７で生成されるＬＯ（局部発振）信号周波数を制御するＰＬＬ回路について説明する。
【００５５】
本実施の形態のＰＬＬ回路２０は、図１に示すように、前記ＬＯ（局部発振）信号を発振する発振器７と、位相比較器２２と、分周器２１・２３と、基準信号発振回路３０とを備えて構成される。
【００５６】
上記基準信号発振回路３０は、位相比較器２２から与えられる直流制御電圧に応じた周波数で発振を行う電圧制御発振器等で実現され、例えば、発振回路３１と、水晶やセラミック等からなる発振子３２及びバリキャップダイオードからなる可変容量３３の直列回路とを備えて構成される。
【００５７】
上記の発振回路３１は、直列回路によって決定される予め定める一定の周波数で発振を行う。
【００５８】
上記構成のＰＬＬ回路２０では、局部発振回路（ＯＳＣ）７で生成されたＬＯ（局部発振）信号成分と、基準信号発振回路３０における発振回路３１、発振子３２及び可変容量３３で生成された基準信号成分とを、それぞれ分周器２１・２３にて分周し、その分周成分を位相比較器２２にて比較し、その分周成分が同一位相となるように、局部発振回路（ＯＳＣ）７にフィードバックをかけて局部発振回路（ＯＳＣ）７を制御する。
【００５９】
そして、上記分周器２１、又は分周器２１・２３における分周比を変化することによって、前記混合回路（ＭＩＸ）６において、任意のＲＦ周波数を、予め定められるＩＦ周波数に変換し、そのチャネルの受信が可能となる。
【００６０】
ここで、本実施の形態のテレビジョン受信機１では、映像信号のカラー成分帯域内において、何らかの外来ノイズ等により、そのカラー成分帯域内に妨害としての不要波（スプリアス）が発生すると、画面上に虹のような色の付いた縞模様であるカラービートが発生する。
【００６１】
そこで、本実施の形態では、ＰＬＬ回路２０は、基準信号発振回路３０の補正容量に可変容量３３としてバリキャップダイオードを使用することにより、バリキャップダイオードに印加するＶＴ電圧により、任意に補正容量を変化させることができるようになっている。
【００６２】
具体的には、図３に示すように、基準信号発振回路３０は、局部発振成分として基準となる周波数の信号を発振すべく、発振子３２、容量及び発振回路３１の直列回路にて構成されると共に、上記容量は、妨害症状を有するチャネルに対して局部発振成分における基準となる周波数を可変すべく、バリキャップダイオードにて構成される可変容量３３からなっている。
【００６３】
詳細には、図３に示すように、可変容量３３は、バリキャップダイオード（ＶＤｉ）４２、バリキャップダイオード（ＶＤｉ）用バイアス抵抗４３から構成されている。
【００６４】
これにより、基準信号発振周波数の変化量をＶＴ電圧により任意に設定できる。このため、ＩＦ信号から出力される妨害不要波（スプリアス）周波数を人の目では、認識し難い周波数へ変移し、その特定チャネル特有の妨害症状を回避することができる。
【００６５】
すなわち、本実施の形態のテレビジョン受信機１のビート改善方法は、妨害症状を有するチャネルでは、バリキャップダイオードにて構成される可変容量３３を備えたＰＬＬ回路２０を用いて、可変容量３３にて基準信号周波数を変移させて局部発振周波数を変移させることにより、中間周波信号から出力される妨害不要波（スプリアス）周波数を変移させる。
【００６６】
したがって、チャネル毎に基準発振周波数の必要変化量が異なる場合に、複数のチャネルでビート回避し得るＰＬＬ回路２０及びテレビジョン受信機１のビート改善方法を提供することができる。
【００６７】
また、本実施の形態のＰＬＬ回路２０及びテレビジョン受信機１のビート改善方法では、例えば、図４に示すように、バリキャップダイオードにて構成される可変容量３３に、並列に、第１の補助容量（Ｃ１）５１を設けることが可能である。
【００６８】
これにより、このバリキャップダイオードにて構成される可変容量３３で設定した範囲をさらに、第１の補助容量（Ｃ１）５１にて制御できる。
【００６９】
また、本実施の形態のＰＬＬ回路２０及びテレビジョン受信機１のビート改善方法では、図３、図４、及び図５に示すように、バリキャップダイオードにて構成される可変容量３３に、直列に、第２の補助容量としてのＤＣカット用（Ｃ）４１・補助容量（Ｃ２）６１を設けることが可能である。
【００７０】
これにより、このバリキャップダイオードにて構成される可変容量３３で設定した範囲をさらに、第２の補助容量としてのＤＣカット用（Ｃ）４１・補助容量（Ｃ２）６１にて制御することができる。また、これら第２の補助容量としてのＤＣカット用（Ｃ）４１・補助容量（Ｃ２）６１は、可変容量３３に直列に接続されるので、ＤＣカット用（Ｃ）４１のように、直流カットの目的も兼ね備えることが可能である。
【００７１】
また、本実施の形態のテレビジョン受信機１では、映像ＩＦ周波数に４５．７５ＭＨｚを使用すると共に、映像ＲＦ周波数９１．２５ＭＨｚのチャネルを選局するようになっている。この場合、４６ＭＨｚの妨害成分も映像ＩＦ信号から出力される。そして、この妨害成分と映像ＩＦ信号成分とがミキシングされた場合、２５０ｋＨｚの妨害成分がビデオ信号と一緒に出力され、画面上、縞模様のビートとして現れる。
【００７２】
しかし、本実施の形態では、ＰＬＬ回路２０を備えているので、容易に、バリキャップダイオードにて構成される可変容量３３によって、局部発振周波数を数十ｋＨｚずらすことができる、
したがって、映像ＩＦ周波数に４５．７５ＭＨｚを使用すると共に、映像ＲＦ周波数９１．２５ＭＨｚのチャネルを選局する場合でも、チャネル毎に基準発振周波数の必要変化量が異なる場合に、複数のチャネルでビート回避し得るテレビジョン受信機１を提供することができる。
【産業上の利用可能性】
【００７３】
本発明のＰＬＬ回路、テレビジョン受信機、及びテレビジョン受信機のビート改善方法は、テレビジョン受信機などのスーパーヘテロダイン方式の受信機に好適に用いられるＰＬＬ回路、それを搭載したＰＬＬシンセサイザー方式チューナ回路、及びテレビジョン受信機に適用できる。
【図面の簡単な説明】
【００７４】
【図１】本発明におけるテレビジョン受信機におけるＰＬＬ回路の電気的構成を示すブロック図である。
【図２】上記テレビジョン受信機の電気的構成を示すブロック図である。
【図３】上記ＰＬＬ回路における基準信号発振回路の具体的構成を示すブロック図である。
【図４】上記ＰＬＬ回路における基準信号発振回路の他の具体的構成を示すブロック図である。
【図５】上記ＰＬＬ回路における基準信号発振回路のさらに他の具体的構成を示すブロック図である。
【図６】従来のテレビジョン受信機の電気的構成を示すブロック図である。
【図７】上記テレビジョン受信機におけるＰＬＬ回路の電気的構成を示すブロック図である。
【図８】上記テレビジョン受信機における映像信号内の輝度信号及び搬送色信号スペクトラムの分布を示す説明図である。
【符号の説明】
【００７５】
１    テレビジョン受信機
２    アンテナ
３    入力同調回路
４    高周波増幅回路
５    段間同調回路
６    混合回路
７    局部発振回路（ＯＳＣ）
８    ＳＡＷフィルタ
９    増幅回路（ＶＩＦ  ＡＭＰ）
１０    音声ＩＦ増幅回路（ＳＩＦ  ＡＭＰ）
１１    映像検波回路（Ｖｉｄｅｏ  ＤＥＴ）
１２    映像増幅回路（Ｖｉｄｅｏ  ＡＭＰ）
１３    音声復調回路（ＱＩＦ  ＤＥＴ）
１４    ＦＭ検波回路（ＦＭ  ＤＥＴ）
２０    ＰＬＬ回路
３０    基準信号発振回路
３１    発振回路
３２    発振子
３３    可変容量
４０    基準信号発振回路
４１    ＤＣカット用（Ｃ）（第２の補助容量）
４２    バリキャップダイオード（ＶＤｉ）（可変容量）
４３    バリキャップダイオード（ＶＤｉ）用バイアス抵抗（可変容量）
５０    基準信号発振回路
５１    第１の補助容量（Ｃ１）
６０    基準信号発振回路
６１    補助容量（Ｃ２）（第２の補助容量）
【図１】
2006042054.tif 000003
【図２】
2006042054.tif 000004
【図３】
2006042054.tif 000005
【図４】
2006042054.tif 000006
【図５】
2006042054.tif 000007
【図６】
2006042054.tif 000008
【図７】
2006042054.tif 000009
【図８】
2006042054.tif 000010